(57)【要約】【課題】  タンパク質やその複合体を含む水の厚さを制御できる試料ホルダを提供する。【解決手段】  ＳｉＮにより成る薄膜Ａ（100）の上に、微小開口部を有するチタンより成る薄膜Ｂ（101）を配置した。これらの構造は、部分的に除去されたＳｉ基板102の上に形成されている。【選択図】  図１
2008267889.tif 000002
【特許請求の範囲】
【請求項１】
少なくとも、膜Ａと膜Ｂの積層構造を含んで構成され、膜Ａが電子線を透過し、膜Ｂに開口部があり、膜Ｂの厚さが１μｍ以下であり、かつ、膜Ａあるいは膜Ｂの少なくともいずれかが導電性であることを特徴とする電子顕微鏡用試料ホルダ。
【請求項２】
上記膜Ａが、少なくとも酸化シリコン、窒化シリコン、アモルファスシリコン、窒化ホウ素、ベリリウム、カーボン、ポリミド、ポリプロピレン、ポリエチレンを含んで構成されることを特徴とする請求項１記載の電子顕微鏡用試料ホルダ。
【請求項３】
上記膜Ｂが金属で構成されることを特徴とする請求項１記載の電子顕微鏡用試料ホルダ。
【請求項４】
上記膜Ａが、少なくとも酸化シリコン、窒化シリコン、アモルファスシリコン、窒化ホウ素、ベリリウム、カーボン、ポリミド、ポリプロピレン、ポリエチレンを含んで構成されると共に、上記膜Ｂが金属で構成されることを特徴とする請求項１記載の電子顕微鏡用試料ホルダ。
【請求項５】
上記開口部の大きさが１０μｍ以下であることを特徴とする請求項１記載の電子顕微鏡用試料ホルダ。
【請求項６】
上記開口部の大きさが２００ｎｍ以下であることを特徴とする請求項１記載の電子顕微鏡用試料ホルダ。
【請求項７】
上記開口部の内側あるいは周辺に抗体あるいはアプタマーを配置したことを特徴とする請求項１または請求項５または請求項６記載の電子顕微鏡用試料ホルダ。
【請求項８】
請求項７において、間に金属を配置することにより、上記膜Ｂに対して抗体あるいはアプタマーを固定することを特徴とする電子顕微鏡用試料ホルダ。
【請求項９】
少なくとも開口部を有する薄膜Ａと、該開口部の内側あるいは周辺に抗体あるいはアプタマーを配置したことを特徴とする電子顕微鏡用試料ホルダ。
【請求項１０】
少なくとも薄膜、および、抗体あるいはアプタマーを含んでなることを特徴とする電子顕微鏡用試料ホルダ。
【請求項１１】
請求項１から請求項１０に記載の電子顕微鏡用試料ホルダと冷却ステージを有する透過型電子顕微鏡を用いて、タンパク質あるいはその複合体の構造を観察する観察方法。
【請求項１２】
請求項１から請求項１０に記載の電子顕微鏡用試料ホルダに対して、気体を吹き付けることにより、開口部以外の水分を除去する工程を含む観察方法。
【請求項１３】
請求項１２において、水分を除去する際に、水の膜厚に対応した干渉色を計測することにより、残留の水分量を制御する工程を含む観察方法。
【請求項１４】
請求項１３記載の方法を用い、干渉色を自動的にモニタするための機構と、あらかじめプリセットした干渉色になった場合に自動的に低温槽にホルダを入れる機構を有することを特徴とする電子顕微鏡用試料作製装置。
【請求項１５】
試料ホルダ上の水の量を制御するために、干渉色を自動的にモニタするための機構と、あらかじめプリセットした干渉色になった場合に自動的に低温槽にホルダを入れる機構を有することを特徴とする電子顕微鏡用試料作製装置。
【請求項１６】
干渉色を計測するための手段が光源と分光器であることを特徴とする請求項１４または請求項１５記載の電子顕微鏡用試料作製装置。
【請求項１７】
干渉色を計測するための手段が光学顕微鏡であることを特徴とする請求項１４または請求項１５記載の電子顕微鏡用試料作製装置。
【発明の詳細な説明】
【技術分野】
【０００１】
本発明は、生体の構造解析に関する。特に、タンパク質やその複合体の構造解析に関する。
【背景技術】
【０００２】
タンパク質やその複合体の構造解析には、Ｘ線回折、ＮＭＲ（核磁気共鳴）、ＳＰＭ（走査型プローブ顕微鏡）、ＴＥＭ（透過型電子顕微鏡）などが用いられる。Ｘ線回折には単結晶（３次元結晶）の試料が必要であるが、これを作製するためには多大なる時間と労力を要する。ＮＭＲやＳＰＭには単結晶の試料は必要ないが、ＮＭＲは分子量の大きなタンパク質の構造を解析することが困難であり、また、ＳＰＭはタンパク質の表面構造しか決定できない。これに対し、ＴＥＭは単結晶を用いることなく、タンパク質やその複合体の３次元的な構造を決定できる優れた方法である。
【０００３】
ＴＥＭを用いた構造決定には、多くのＴＥＭ像を取得する必要がある。このための工程について説明する。開口部を有するカーボン膜を、タンパク質やその複合体を含む水の中に浸した後引き上げる。カーボン膜の両側についた余分な水分を除去した後、上記カーボン膜を液体エタンなどの中に入れて、急速凍結させる。これにより、カーボン膜の開口部の中や上下に、氷の中に閉じ込められたタンパク質やその複合体を配置することができる。上記カーボン膜を液体ヘリウムステージを有するＴＥＭの中に配置し、開口部を観察することにより、氷の中に配置したタンパク質やその複合体のＴＥＭ像を得ることができる。
【０００４】
電子線によるタンパク質やその複合体のダメージを低減するため、ＴＥＭ観察の際には電子線のドーズを極限まで小さくする必要がある。この場合、ＴＥＭ像のノイズが増えるため、多くの画像を取得した後、複数の画像を重ね合わせることによりノイズを低減する方法が用いられる。この際に、個々のタンパク質やその複合体がランダムな方向を向いていることを考慮し、類似の方向を向いているものを選択した上で重ねあわせを行う必要がある。このようにして得られた各方向を向いたタンパク質やその複合体のＴＥＭ像を用いて、コンピューターによる再構成を行うことにより、３次元的な構造を計算することができる。このような方法については、「Three-Dimensional Electron Microscopy of Macromolecular Assemblies, J. Frank, Oxford University Press, 2006」（非特許文献１）に記載されている。
【０００５】
透過電子顕微鏡を用いた観察のためには、ＳｉＮ薄膜を用いたホルダも提案されている。この方法では、Ｓｉ上にＳｉＮ膜を形成した後、Ｓｉ部分をウェットエッチング方により除去し、薄膜部分だけを露出させる。ＳｉＮ薄膜の上に試料を配置した後、ＴＥＭ観察を行う。ＴＥＭで、試料とＳｉＮ薄膜の両方を透過した電子線を拡大観察することにより、試料の拡大像を得ることができる。
【０００６】
【非特許文献１】J. Frank, Oxford University Press（2006）
【発明の開示】
【発明が解決しようとする課題】
【０００７】
上記開口を有するカーボン膜を用いた場合、以下の問題があった。第１に、タンパク質やその複合体を含む水の厚さを制御することが容易ではなかった。作業者の勘に頼り膜厚を制御するため、失敗することが多かった。また、その作業を習得するためには、トレーニングが必要であった。第２に、タンパク質やその複合体の方向を制御することができなかった。このため、ノイズの多いＴＥＭ像において、類似な方向を向いているタンパク質などを抽出することが容易でなかった。このため、画像重ね合わせの精度を向上することができなかった。第３に、開口部を含む薄いカーボン膜を形成することが容易でないため、ホルダの作製歩留まりを高くすることが容易ではなかった。第４に、液体ヘリウムに近い温度では試料がチャージすることがあった。カーボンがアモルファスであるため、低温でアンダーソン局在が発生し、導電率が下がるためと思われる。
【０００８】
一方、上記ＳｉＮ薄膜を用いた場合、ＳｉＮ薄膜が絶縁材料であるため、試料がチャージする。このため、観察が容易ではなかった。
【０００９】
本発明の第１の目的は、２層構造の薄膜を用いることにより、タンパク質やその複合体を含む水の厚さを制御できるようにすることである。
【００１０】
本発明の第２の目的は、２層構造の薄膜と開口部を用いることにより、タンパク質やその複合体の方向を制御できるようにすることである。
【００１１】
本発明の第３の目的は、抗体やアプタマーを用いることにより、タンパク質やその複合体の方向を制御できるようにすることである。
【００１２】
本発明の第４の目的は、ＭＥＭＳのプロセスを用いることにより、試料ホルダ作製の歩留まりを向上することである。
【００１３】
本発明の第５の目的は、試料ホルダを構成する材料に金属を含ませることにより、低温においても試料のチャージを防ぐことである。
【課題を解決するための手段】
【００１４】
上記目的を達成する請求項１に係る電子顕微鏡用試料ホルダは、少なくとも、膜Ａと膜Ｂの積層構造を含んで構成され、膜Ａが電子線を透過し、膜Ｂに開口部があり、膜Ｂの厚さが１μｍ以下であり、かつ、膜Ａあるいは膜Ｂの少なくともいずれかが導電性であることを特徴とする。
【００１５】
請求項９に係る電子顕微鏡用試料ホルダは、少なくとも開口部を有する薄膜Ａと、該開口部の内側あるいは周辺に抗体あるいはアプタマーを配置したことを特徴とする。
【００１６】
請求項１１に係る観察方法は、請求項１から請求項１０に記載の電子顕微鏡用試料ホルダと冷却ステージを有する透過型電子顕微鏡を用いて、タンパク質あるいはその複合体の構造を観察することを特徴とする。
【００１７】
請求項１４に係る電子顕微鏡用試料作製装置は、干渉色を自動的にモニタするための機構と、あらかじめプリセットした干渉色になった場合に自動的に低温槽にホルダを入れる機構を有することを特徴とする。
【発明の効果】
【００１８】
本発明の第１の効果は、タンパク質やその複合体を含む水の厚さを制御できることである。これにより、安定に観察をできるようになった。
【００１９】
本発明の第２の効果は、タンパク質やその複合体の方向を制御できるようになったたことである。これにより、解析の精度を向上することができた。
【００２０】
本発明の第３の効果は、試料ホルダ作製の歩留まりを向上できたことである。
【００２１】
本発明の第４の効果は、低温においても試料のチャージを防げたことである。
【発明を実施するための最良の形態】
【００２２】
（実施例１）
図１に、本実施例の構成を示す。
【００２３】
厚さ３０ｎｍのＳｉＮにより成る薄膜Ａ（100）の上に、直径１０μｍの開口部を有する厚さ１μｍのチタンより成る薄膜Ｂ（101）を配置した。これらの構造は、部分的に除去されたＳｉ基板102の上に形成されている。
【００２４】
本構造の形成方法を説明する（図２）。Ｓｉ基板102の両面に、ＳｉＮ膜100と104を形成する。面Ａ側のＳｉＮ膜100上に、さらにＴｉ膜101を形成する。さらにその上にＳｉＮ膜103を形成する（図２（ａ））。その後、面Ｂ側のＳｉＮ膜104の上にレジスト105を配置した後で、フォトリソグラフィーによりパターンを形成する。現像後、このパターンを用いて、ドライエッチングによりＳｉＮ膜104の一部を除去する（図２（ｂ））。その後、ウェットエッチングにより、Ｓｉ基板102の一部を除去する。その後、レジスト105を除去する（図２（ｃ））。
【００２５】
面Ａ側の上部ＳｉＮ膜103の全面をドライエッチングで除去した後（図２（ｄ））、レジスト106を塗布する。フォトリソグラフィーとドライエッチングを用いてＴｉ膜101に開口部を形成する（図２（ｄ−ｅ））。その後、レジスト106を除去する。これらの工程により、本実施例の構造を形成することができた。実際には、図３に示すように、開口部120をひとつのホルダ上に複数配置し、観察を効率的にできるようにした。
【００２６】
本構造の面Ａ側に、タンパク質110を含んだ水111を滴下した（図４（ａ））。ＳｉＮ膜100は水に対するぬれ性が高いために、上記開口部120にタンパク質を含んだ水が入り込む。その後、面Ａ側に横方向から空気を吹き付けることにより、Ｔｉ膜101の開口部内部だけにタンパク質110を含む水111を残し、Ｔｉ膜101の上あった余分な水分だけを除去することができた（図４（ｂ））。すなわち、開口部の内側だけに、タンパク質を含んだ水分を配置することができた。その後、本構造を液体エタンの中に入れることにより、氷の中にタンパク質を配置した試料を作製できた。
【００２７】
本試料を液体ヘリウムステージを搭載したＴＥＭで観察することにより、タンパク質のＴＥＭ像を得ることができた。この際、氷の厚さをほぼＴｉ膜101と同じに制御することができたために、熟練者でなくても安定して試料を作製することができた。
【００２８】
いくつかの実験を繰り返した結果、開口部120の大きさが１０μｍ以下の場合、氷の厚さをほぼ薄膜B（Ｔｉ膜）の厚さと同じにできることがわかった。このため、開口部の大きさは、１０μｍ以下とすることが望ましい。タンパク質の大きさを考慮するとタンパク質の種類にもよるが、開口部の大きさは１０ｎｍ以上である必要があるだろう。一方、薄膜Bの厚さが厚すぎると、ＴＥＭ観察を行う際に分解能が劣化する。このため、薄膜Bの厚さは１μｍ以下であることが望ましい。より望ましくは、薄膜Ｂの厚さを一般的なタンパク質よりも少し大きな１５０ｎｍ以下とするのが良い。
【００２９】
本実施例ではＳｉＮ薄膜を用いた例を示した。しかしながら、酸化シリコン、アモルファスシリコン、窒化ホウ素、ベリリウム、カーボン、ポリミド、ポリプロピレン、ポリエチレンを用いることができるのはいうまでもない。本実施例ではＴｉ薄膜を用いた例を示した。しかしながら、その他の非磁性金属を用いることができるのはいうまでもない。本実施例では、タンパク質を観察した例を示した。しかしながら、タンパク質複合体も同様に観察できることはいうまでもない。これらは、以下の実施例においても同様である。
（実施例２）
本実施例の構成は、実施例１と類似である。ただし、Ｔｉ薄膜101の膜厚を１５０ｎｍとし、かつ、その開口部の直径を２００ｎｍとした点が異なる（図５）。
【００３０】
このような構成とすることにより、開口部の中に単一のタンパク質を導入することができた（図５）。また、このタンパク質が異方性をもつ場合、タンパク質の方向を制御することができた。
【００３１】
このような方法を用いてタンパク質の方向を制御するためには、タンパク質の大きさにもよるが、開口部の大きさをタンパク質よりも若干大きくするのが望ましい。具体的には、開口部の大きさを２００ｎｍ以下にするのが望ましい。
（実施例３）
本実施例によるホルダの構造を図６に示す。本実施例の構成は、実施例１と類似である。ただし、開口部の側面に、抗体112を配置した点が異なる。
【００３２】
本構造の形成方法の前半部分は、実施例１と同じである。実施例１の構造を形成した後のホルダ形成方法を、図７に示す。面Ａに対して、矢印Ａで示す斜め方向にレジスト107を薄くスプレー塗布する（図７（ａ））。次に、矢印Ｂで示す別の斜め方向から、Ａｕ（113）を蒸着する（図７（ｂ））。さらに、レジストを除去することによりリフトオフを行う。これにより、開口部の側面の一部に、選択的にＡｕ（113）を配置できる（図７（ｃ））。最後に、Ａｕに特異的に吸着する化合物をつけた抗体114を、本ホルダのＡｕ部分113に吸着させる。これにより、開口部の側面に、選択的に抗体114を配置することができた。
【００３３】
本構造の面Ａ側に、タンパク質110を含んだ水111を配置した（図６）。ＳｉＮ膜は水に対するぬれ性が高いために、上記開口部120にタンパク質を含んだ水が入り込む。この際に、ターゲットのタンパク質110と抗体112が、抗原抗体反応により接着する。タンパク質が抗体と接着する部位は決まっているため、常にこの部位を抗体112の方向に向けることができる。このため、タンパク質110の方向を制御することができる。その後は、実施例１と同様な方法により、氷の中に配置したタンパク質110を観察することができた。ただし、各方向からタンパク質を観察するため、必要に応じてステージを傾斜して観察した。
【００３４】
本方法を用いることにより、タンパク質110の方向を制御することができたために、ノイズの多い画像を重ね合わせることが容易になった。このため、解析の精度を向上することができた。
【００３５】
本実施例では、タンパク質の方向を制御する例を示したが、タンパク質やＲＮＡの複合体などの方向を制御できることはいうまでもない。また、本実施例では、抗体を用いてタンパク質の方向を制御する例を示したが、アプタマーなどを用いて制御できることはいうまでもない。これらは、以下の実施例でも同様である。
（実施例４）
本実施例によるホルダの構造を図８に示す。開口部を形成した薄膜130の内側に、抗体112を配置した。本構造の作製方法は、実施例３の場合と類似である。また、利用方法も、実施例３と同様である。
【００３６】
本方法を用いることにより、タンパク質の方向を制御することができたために、ノイズの多い画像を重ね合わせることが容易になった。このため、解析の精度を向上することができた。
（実施例５）
本実施例では、実施例１に記載のホルダの開口部に、タンパク質を含んだ水を入れた後、試料を急速冷却するための自動処理装置を示す。構成を、図９に示す。
【００３７】
ホルダ140を固定するためのステージ141、ホルダ140上にタンパク質110やその複合体を含んだ水111を滴下するためのオートピペット142、ホルダ上の余分な水分を飛ばすためのブロワー143、ホルダ上の水分量を見るために干渉色を測定するための光源144と分光器145、試料を低温の液体エタン147に入れるためのロボットアーム146、および、低温の液体エタン147を入れるためのデュワー148から構成されている。また、本構成全体が、密閉室149の内部に配置されており、外気と遮断されている。密閉室149内部の雰囲気は、各種のガスで置換できるようになっている。
【００３８】
本装置の動作は、以下のとおりである。ホルダ140をステージ141上に固定した後、ホルダ140上にタンパク質110を含んだ水111をオートピペット142で滴下する。次に、ブロワー143を用いてホルダ上の余分な水分を除去する。この際に、光源144と分光器145を用いて水の膜厚をモニタする。適度な膜厚になった際に、ブロワー143を停止し、オートアーム146を用いて液体エタン147の中にホルダ140を入れる。これにより、目的の膜厚を有する試料を自動的に作製できた。
（実施例６）
本実施例は、実施例５と類似である。ただし、タンパク質110などを含んだ水111の膜厚を測定するために、光源144と分光器145のかわりに光学顕微鏡150を配置した点が異なる（図１０）。
【００３９】
このような構成とすることにより、タンパク質110などを含んだ水111部分を光学顕微鏡150で観察できる。この際に、水111部分の色が干渉により水111の膜厚に依存するため、該膜厚をモニタできる。また、光学顕微鏡150で、ホルダ上のタンパク質等を含んだ水111の形状なども観察することができる。このため、使い勝手を良くすることができた。
【図面の簡単な説明】
【００４０】
【図１】本発明の試料ホルダの一例を示した図である。
【図２】本発明の試料ホルダの作製方法を説明するために示した図である。
【図３】本発明の試料ホルダの一例を示した図である。
【図４】本発明の試料作製を説明するために示した図である。
【図５】本発明の試料ホルダの一例を示した図である。
【図６】本発明の試料ホルダの一例を示した図である。
【図７】本発明の試料ホルダの作製方法を説明するために示した図である。
【図８】本発明の試料作製を説明するために示した図である。
【図９】本発明の電子顕微鏡用試料作製装置の一例を示した図である。
【図１０】本発明の電子顕微鏡用試料作製装置の一例を示した図である。
【符号の説明】
【００４１】
100…薄膜Ａ、101…薄膜Ｂ、102…Ｓｉ基板、103，104…ＳｉＮ膜、105，106…レジスト、110…タンパク質、111…タンパク質を含んだ水、112，114…抗体、113…Ａｕ、120…開口部、130…薄膜、140…ホルダ、141…ステージ、142…オートピペット、143…ブロワー、144…光源、145…分光器、146…ロボットアーム、147…液体エタン、148…デュワー、149…密閉室、150…光学顕微鏡
【図１】
2008267889.tif 000003
【図２】
2008267889.tif 000004
【図３】
2008267889.tif 000005
【図４】
2008267889.tif 000006
【図５】
2008267889.tif 000007
【図６】
2008267889.tif 000008
【図７】
2008267889.tif 000009
【図８】
2008267889.tif 000010
【図９】
2008267889.tif 000011
【図１０】
2008267889.tif 000012